(57)【特許請求の範囲】
【請求項１】
方形状をなす包装フィルムの両側部が折り曲げられ，対向する第１の組の辺近傍の側縁同士が重ね合わせて封止されると共に，第１の組の辺と直交する第２の組の辺近傍の側縁同士が重ね合わせて封止され，封止された側縁の内側には内容物を密封した包装部分が形成されている包装品であって，
前記内容物は，ゲル状の内容物であり，
前記封止された第１の組の辺近傍の側縁が前記包装部分の表面に沿って折り曲げられ，その折り曲げられた側縁の端部となる第１の組の辺が，前記包装部分よりも側方に１〜２ｍｍ突出しており，かつ第１の組の辺から包装部分に至る開封用の切り込みが形成され，包装部分にはこの切り込みを囲む封止部が巾６〜７ｍｍ形成されていることを特徴とする，包装品。
【請求項２】
前記切り込みの長さが４ｍｍであることを特徴とする，請求項１の包装品。
【発明の詳細な説明】
【０００１】
【発明の属する技術分野】
本発明は，例えばゲル製剤などの内容物を密封した包装品に関する。
【０００２】
【従来の技術】
ゲル製剤は服用し易く，高齢及び幼児の患者や嚥下障害の患者などにも利用されている。食品のゼリーなどはポーション容器等に充填して包装するのが一般的であるが，医療用のゲル製剤においては，服用する患者が老人や幼児の場合が多く，ポーション容器だと容器を喉に詰めて窒息する恐れがある。そこで包装フィルムの中にゲル製剤を密封したいわゆるスティック包装が利用されている。
【０００３】
ここで図４は，従来の一般的なスティック包装品５０の正面図であり，図５は，図４におけるＹ−Ｙ断面図，図６は，スティック包装品５０の背面図である。ここに例示した従来のスティック包装品５０は，広げた状態で方形状をなす包装フィルム５１の左右両側部５２，５３が内側に折り曲げられており，対向する第１の組の辺である左辺５４と右辺５５の近傍に位置する側縁５６，５７同士（左側縁５６と右側縁５７）が，スティック包装品５０の背面側にて重ね合わせられている。また，こうして重ね合わされた側縁５６，５７同士は圧着等の手段により互いに密着させられて封止された状態になっている。また，包装フィルム５１の左右両側部５２，５３が内側に折り曲げられていることにより，左辺５４及び右辺５５と直交する第２の組の辺である上辺６０及び下辺６１の近傍に位置する側縁６２，６３（上側縁６２と下側縁６３）は，それぞれ重ね合わされた状態になっており，こうして重ね合わされた側縁６２同士と側縁６３同士も圧着等の手段により互いに密着させられて封止された状態になっている。そして，このように包装フィルム５１の左右の側縁５６，５７同士と上下の側縁６２，６３がいずれも封止されることにより，これら側縁５６，５７と側縁６２，６３の内側には，例えばゲル製剤などの内容物ａを密封した包装部分６５が形成されている。
【０００４】
互いに密着させられている包装フィルム５１の左右の側縁５６，５７は，ゲル製剤などの内容物ａを密封している包装部分６５の表面に沿って折り曲げられており，この例では，左右の側縁５６，５７は包装部分６５の背面側表面にほぼ密着した状態にされている。そして，このように折り曲げられた状態においては，包装フィルム５１の左右の側縁５６，５７の端部となる左辺５４と右辺５５は，包装部分６５の端部（図示の例では右端部）６５’よりも内側に位置している。
【０００５】
またスティック包装品５０の上部には，開封用の切り込み６６が形成されているのが一般的である。この切り込み６６は，包装部分６５と包装部分６５の背面側表面折り曲げられた左右の側縁５６，５７を同時に開封できるように，包装部分６５の端部６５’から包装フィルム５１の左右の側縁５６，５７に至る長さに形成されている。また包装部分６５において，包装フィルム５１の内面同士を圧着等の手段により互いに密着させて形成した封止部６７が，切り込み６６を囲むように設けられている。
【０００６】
【発明が解決しようとする課題】
この図４〜６で説明したスティック包装品５０にあっては，開封する前においては，切り込み６６を囲むように封止部６７が設けられているので，包装部分６５に密封されているゲル製剤などの内容物ａが漏れ出ることがなく，内容物ａを安全に充填しておくことが可能である。一方，スティック包装品５０を開封する場合は，上部に形成された切り込み６６を利用してスティック包装品５０の上部を切り裂くことにより，簡単に開封することができる。このように切り込み６６に沿って開封させる場合，スティック包装品５０の上部は，図４中の二点鎖線７０にほぼ沿って切り裂かれ，開口部７１が形成されるようになる。そして，このように開口部７１を形成させた状態で，スティック包装品５０の包装部分６５を両側から押圧することにより，包装部分６５に充填された内容物ａを開口部７１から簡単に絞り出すことができるようになる。
【０００７】
しかしながら，図４〜６で説明したスティック包装品５０のように包装フィルム５１の左辺５４と右辺５５が包装部分６５の端部６５’よりも内側に位置している場合，切り込み６６は，包装部分６５の端部６５’から包装フィルム５１の左右の側縁５６，５７に至る長さにしなければならない。もしも切り込み６６が短くて包装フィルム５１の左右の側縁５６，５７に至っていなければ，切り込み６６を利用して開封する際に，包装フィルム５１の左右の側縁５６，５７が上手く切断できなくなり，包装フィルム５１の左右の側縁５６，５７が引っかかってスムーズに開封できなくなってしまう。このため，切り込み６６の長さを充分に長くし，包装フィルム５１の左右の側縁５６，５７に切り込み６６を至らせることが重要になる。
【０００８】
ところが，そうすると切り込み６６の長さが長くなった分，開口部７１の巾が狭くなるといった問題がある。例えば図４〜６に示した従来のスティック包装品５０において，包装部分６５の全巾Ｍが約２５ｍｍであった場合，切り込み６６の長さを充分にとり，かつ開封前における切り込み６６からの内容物ａの漏出を安全に防ぐためには，封止部６７の巾Ｍ’は約１２〜１３ｍｍ程度必要である。そうすると開口部７１の巾Ｙは，必然的に包装部分６５の全巾Ｍの約半分の１２〜１３ｍｍ程度になってしまう。
【０００９】
このように開口部７１の巾Ｙが狭くなると，内容物ａが流動性の良い液体や粉などである場合は良いが，内容物ａがゲル製剤や固液混合の製剤などである場合は，開口部７１が小さく絞られているために内容物ａが出にくくなってしまう。その結果，内容物ａを服用しにくくなり，包装部分６５に内容物ａが残ることにより無駄が生じ，また所望の量の製剤などを服用できなくなる問題も生ずる。
【００１０】
一方，開口部７１の巾Ｙをなるべく広くするために，封止部６７の巾Ｍ’や切り込み６６の長さを短くすることも考えられる。しかし，封止部６７の巾Ｍ’をあまり短くすると，切り込み６６からの内容物ａの漏出を安全に防ぐことができなくなってしまう。また切り込み６６の長さを短くすると，包装フィルム５１の左右の側縁５６，５７に切り込み６６が充分に至らなくなり，開封する際に包装フィルム５１の左右の側縁５６，５７が切れずに引っかかって，スムーズな開封ができなくなってしまうといった問題がある。
【００１１】
従って本発明の目的は，切り込みからの内容物の漏出や開封がしづらくなるなどといった問題がなく，しかも開口部の巾をなるべく広くして内容物を容易に絞り出すことができる包装品を提供することにある。
【００１２】
【課題を解決するための手段】
この目的を達成するために，本発明にあっては，方形状をなす包装フィルムの両側部が折り曲げられ，対向する第１の組の辺近傍の側縁同士が重ね合わせて封止されると共に，第１の組の辺と直交する第２の組の辺近傍の側縁同士が重ね合わせて封止され，封止された側縁の内側（両側部が折り曲げられて側縁を封止された包装フィルムの内側）には内容物を密封した包装部分が形成されている包装品であって，前記内容物は，ゲル状の内容物であり，前記封止された第１の組の辺近傍の側縁が前記包装部分の表面に沿って折り曲げられ，その折り曲げられた側縁の端部となる第１の組の辺が，前記包装部分よりも側方に１〜２ｍｍ突出しており，かつ第１の組の辺から包装部分に至る開封用の切り込みが形成され，包装部分にはこの切り込みを囲む封止部が巾６〜７ｍｍ形成されていることを特徴としている。
【００１３】
この包装品において，包装フィルムには，例えばアルミ箔層に熱溶着層を積層した包装フィルムなどが用いられる。包装フィルムの側縁同士の封止や包装部分において切り込みを囲むように形成される封止部は，例えば熱溶着，圧着などの手段によって設けられる。包装部分に密封される内容物は，ゲル状の内容物であり，ゲル製剤や固液混合の製剤，食品ゼリーなどの他，ゲル状以外の液体，粉体などの内容物でも良い。また，前記第１の組の辺は包装部分の端部よりも０〜３ｍｍ外側にはみ出ていることが好ましい。この場合，前記第１の組の辺は包装部分の端部よりも１〜２ｍｍ外側にはみ出ていることが好ましい。また，前記切り込みの長さは４ｍｍであることが好ましい。これら前記第１の組の辺が包装部分の端部よりも外側にはみ出ている長さや，前記切り込みの長さの好ましい範囲は，包装フィルムの材質や厚さなどにより，また成形する機械の精度にもよって変化する。例えば包装フィルムがアルミ箔のような比較的固い材料で構成されている場合は，前記切り込みの長さは４ｍｍ程度が好ましいが，包装フィルムが柔らかいフィルムで構成されていれば，前記切り込みの長さは２ｍｍ程度でも良い。その場合，前記第１の組の辺が包装部分の端部よりも外側にはみ出ている長さは例えば１ｍｍ程度となり，包装部分の端部に形成される切り込みは例えば１ｍｍ程度となる。なお，前記第１の組の辺が包装部分の端部よりも外側にはみ出ている長さは３ｍｍを越えても良いが，そうすると包装フィルムの使用量が増えてコスト高となり，また外観も劣ってしまう。
【００１４】
本発明の包装品にあっては，開封する前においては，切り込みを囲むように封止部が設けられているので，包装部分に密封されている内容物が漏れ出ることがなく，内容物を安全に充填しておくことが可能である。一方，包装品を開封する場合は，切り込みを利用して包装品を切り裂くことにより，簡単に開封することができる。こうして開封させた状態で，包装品の包装部分を両側から押圧することにより，包装部分に充填された内容物を簡単に絞り出すことができる。
【００１５】
本発明の包装品は，包装フィルムの端部となる第１の組の辺が包装部分よりも側方に突出し，開封用の切り込みは第１の組の辺から包装部分に至るように形成されているので，包装部分に跨る切り込みの長さは短くて済むようになり，封止部の巾や切り込みの長さを必要以上に短くすることなく，包装品を切り裂くことにより形成される開口部の巾を広くすることができるようになる。このため，内容物がゲル製剤や固液混合の製剤などの場合であっても，大きい開口部から内容物を出しやすいといった特徴がある。また，封止部の巾や切り込みの長さを必要以上に短くしなくて良いので，切り込みからの内容物の漏出を防止でき，また容易に開封できる包装品を提供することが可能となる。
【００１６】
【発明の実施の形態】
以下，本発明の好ましい実施の形態を図面を参照にして説明する。なお包装品の一例として，全体として棒形状をなすスティック包装品に基づいて説明する。図１は，本発明の実施の形態にかかるスティック包装品１の正面図であり，図２は，図１におけるＸ−Ｘ断面図，図３は，スティック包装品１の背面図である。
【００１７】
図示のスティック包装品１では，広げた状態で方形状をなす包装フィルム１０の左側部１１と右側部１２を内側に折り曲げ，対向する第１の組の辺である左辺１３と右辺１４の近傍に位置する側縁１５，１６同士（左側縁１５と右側縁１６）を，スティック包装品１の背面側にて重ね合わせた構成になっている。こうして重ね合わされた側縁１５，１６同士は圧着等の手段により互いに密着させられて封止されている。また，左右両側部１１，１２が内側に折り曲げられていることにより，包装フィルム１０の左辺１３及び右辺１５と直交する第２の組の辺である上辺２０及び下辺２１の近傍に位置する側縁２２，２３（上側縁２２と下側縁２３）はそれぞれ重ね合わされた状態になっており，こうして重ね合わされた上側縁２２同士と下側縁２３同士も圧着等の手段により互いに密着させられて封止された状態になっている（なお，図１，３において斜線を描いた部分はいずれも封止部分を示している。）。そして，このように包装フィルム１０の左右の側縁１５，１６同士と上下の側縁２２，２３がいずれも封止されることにより，これら側縁１５，１６と側縁２２，２３の内側には，例えばゲル製剤などの内容物ａを密封した包装部分２５が形成されている。
【００１８】
互いに密着させられている包装フィルム１０の左右の側縁１５，１６は，ゲル製剤などの内容物ａを密封している包装部分２５の表面に沿って折り曲げられており，この例では，左右の側縁１５，１６は包装部分２５の背面側表面にほぼ密着した状態にされている。そして，このように左右の側縁１５，１６が折り曲げられた状態においては，包装フィルム１０の左右の側縁１５，１６の端部となる左辺１３と右辺１４は，包装部分２５の端部（図示の例では右端部）２５’よりも外側に位置している。図示の例では，包装部分２５の全巾Ｌが約２２．５ｍｍであるのに対し，包装フィルム１０の左右の側縁１５，１６の端部（左辺１３と右辺１４）が，包装部分２５の端部２５’よりも約０〜３ｍｍ（好ましくは約１〜２ｍｍ）外側にはみ出るようになっている。
【００１９】
またスティック包装品１の上部には，開封用の切り込み２６が形成されている。この切り込み２６は，包装フィルム１０の左右の側縁１５，１６の端部（左辺１３と右辺１４）から部分２５に至る長さに形成されており，この実施の形態では，包装フィルム１０の左右の側縁１５，１６の端部（左辺１３と右辺１４）が，包装部分２５の端部２５’よりも約０〜３ｍｍ（好ましくは約１〜２ｍｍ）外側にはみ出ているのに対し，切り込み２６の長さは約４ｍｍであり，包装部分２５に形成される切り込み２６の長さは約１〜４ｍｍ（好ましくは約２〜３ｍｍ）程度になっている。また包装部分２５において，包装フィルム１０の内面同士を圧着等の手段により互いに密着させて形成した封止部２７が，切り込み２６を囲むように設けられている。この実施の形態では，包装部分２５に形成される切り込み２６の長さが約１〜４ｍｍ（好ましくは約２〜３ｍｍ）程度であるのに対し，封止部２７の巾Ｌ’は約６〜７ｍｍ程度である。
【００２０】
さて，この実施の形態のスティック包装品１にあっては，開封する前においては，切り込み２６を囲むように封止部２７が設けられているので，包装部分２５に密封されているゲル製剤などの内容物ａが漏れ出ることがなく，内容物ａを安全に充填しておくことができる。この場合，包装フィルム１０としてアルミ箔層有するものなどを用いれば，遮光性や空気の遮断性に優れ，包装部分２５に充填された内容物ａの品質劣化を防止できる。
【００２１】
一方，スティック包装品１を開封する場合は，切り込み２６を利用してスティック包装品１の上部を図１中の二点鎖線３０にほぼ沿って切り裂くことにより開封し，簡単に開口部３１を形成することができる。このようにスティック包装品１の上部を切り裂く場合，切り込み２６が包装フィルム１０の左右の側縁１５，１６の端部（左辺１３と右辺１４）から部分２５に至る長さに形成されているので，包装フィルム１０の左右の側縁１５，１６と包装部分２５を一緒に引っ張って切ることができ，開封がスムーズである。そして，このように開口部３１を形成させた状態で，スティック包装品１の包装部分２５を両側から押圧することにより，包装部分２５に充填された内容物ａを開口部３１から簡単に絞り出すことができるようになる。
【００２２】
しかも，この実施の形態のスティック包装品１にあっては，包装フィルム１０の左右の側縁１５，１６の端部（左辺１３と右辺１４）が，包装部分２５の端部２５’よりも外側に位置しているため，包装部分２５に形成される切り込み２６の長さが短くて済み，開口部３１を比較的広くできると行った特徴がある。即ち，例えば図１〜３に示した本発明の実施の形態のスティック包装品１において，包装部分２５の全巾Ｌが約２２．５ｍｍであるのに対し，切り込み２６からの内容物ａの漏出を安全に防ぐためには，封止部２７の巾Ｌ’は約６〜７ｍｍ程度で充分である。このため開口部３１の巾Ｘは，約１６ｍｍ程度にすることができる。なお，包装部分２５をスムーズに開封させるためには，包装部分２５に形成される切り込み２６の長さは約１〜４ｍｍ（好ましくは約２〜３ｍｍ）程度で充分である。
【００２３】
このように開口部３１の巾Ｘが広くなることにより，内容物ａが流動性の良い液体や粉などである場合はもちろん，内容物ａがゲル製剤や固液混合の製剤などであるような場合でも，開口部３１が広いために内容物ａを絞り出しやすくなる。このため，内容物ａを服用しやすく，包装部分２５に内容物ａが残る心配もなく，確実に所望の量の製剤などを服用することが可能となる。
【００２４】
以上，本発明の実施の形態の一例を説明したが，本発明はここで説明した形態に限定されない。例えば，図示の例では包装フィルム１０の左右の側縁１５，１６をスティック包装品１背面側のほぼ中央（包装部分２５の背面側のほぼ中央）で折り曲げた構成を示したが，側縁１５，１６をスティック包装品１背面側の中央ではない位置（例えば包装部分２５の背面側中央から端部（図示の例では右端部）２５’によった位置など）において側縁１５，１６を折り曲げた構成としても良い。例えば包装部分２５の端部２５’に近い位置で側縁１５，１６を折り曲げた構成とすれば，その分側縁１５，１６同士の圧着部分が少なくて済み，コスト的に有利になる。また本発明の包装品は，スティック包装品に限らず，種々の形状の包装品に適用できる。更に内容物は，ゲル製剤などに限らず，食品ゼリーなどの粘性の高い内容物の他，ゲル状以外の液体，粉体などの内容物でも良い。
【００２５】
【発明の効果】
請求項１〜４によれば，包装部分に跨る切り込みの長さを短くでき，封止部の巾や切り込みの長さを必要以上に短くすることなく，開口部の巾を広げることが可能となる。このため，ゲル製剤などの粘性の高い内容物でも容易に絞り出すことができるようになる。
【図面の簡単な説明】
【図１】本発明の実施の形態にかかるスティック包装品の正面図である。
【図２】図１におけるＸ−Ｘ断面図である。
【図３】スティック包装品の背面図である。
【図４】従来の一般的なスティック包装品の正面図である。
【図５】図４におけるＹ−Ｙ断面図である。
【図６】スティック包装品の背面図である。
【符号の説明】
ａ    内容物
１    スティック包装品
１０  包装フィルム
１１  左側部
１２  右側部
１３  左辺
１４  右辺
１５  左側縁
１６  右側縁
２０  上辺
２１  下辺
２２  上側縁
２３  下側縁
２５  包装部分
２５’端部
２６  切り込み
２７  封止部
【図１】
0003943303.tif 000002
【図２】
0003943303.tif 000003
【図３】
0003943303.tif 000004
【図４】
0003943303.tif 000005
【図５】
0003943303.tif 000006
【図６】
0003943303.tif 000007